(57)【要約】【課題】  警報音を発生させることなく容易に圧電ブザーＡとリード線３０との間の接合状態を検出することができる警報音生成回路１０、およびこの警報音生成回路１０を用いた火災警報器１を提供する。【解決手段】  圧電ブザーＡの電極表面にはんだ付け等を用いて駆動回路５からのリード線３０を接合させた接合部１１を備えることにより、駆動回路５からの変動電圧に応じて圧電ブザーＡを鳴動させて警報音を発生させる警報音生成回路１０において、圧電ブザーＡの電極間に電気抵抗体Ｒ１を前記接合部１１と異なる部位で接合させて、圧電ブザーＡと電気抵抗体Ｒ１を駆動回路５に対して並列に接続したものである。【選択図】図３
2006235853.tif 000002
【特許請求の範囲】
【請求項１】
圧電ブザーの電極表面にはんだ付け等を用いて駆動回路からのリード線を接合させた接合部を備えることにより、駆動回路からの変動電圧に応じて圧電ブザーを鳴動させて警報音を発生させる警報音生成回路において、圧電ブザーの電極間に電気抵抗体を前記接合部と異なる部位で接合させて、圧電ブザーと電気抵抗体を駆動回路に対して並列に接続したことを特徴とする警報音生成回路。
【請求項２】
前記リード線に駆動回路または導通検出回路のいずれかと圧電ブザーとを電気接続させる切り替え回路を備えていることを特徴とする請求項１の警報音生成回路。
【請求項３】
圧電ブザーの電極表面にはんだ付け等を用いて駆動回路からのリード線を接合させた接合部を備えることにより、駆動回路からの変動電圧に応じて圧電ブザーを鳴動させて警報音を発生させる警報音生成回路を備えた火災警報器において、警報音生成回路は、圧電ブザーの電極間に電気抵抗体を前記接合部と異なる部位で接合させて、圧電ブザーと電気抵抗体を駆動回路に対して並列に接続したことを特徴とする火災警報器。
【発明の詳細な説明】
【技術分野】
【０００１】
本願発明は、圧電ブザーを用いて警報音を生成する警報音生成回路、およびその警報音生成回路を用いた火災警報器に関する。
【背景技術】
【０００２】
従来から、駆動回路と圧電ブザーとを電気接続させることにより、圧電ブザーを鳴動させて警報音を発生させる警報音生成回路、およびその警報音生成回路を備えた火災警報器は知られている（例えば、特許文献１）。
【０００３】
そして、このような警報音生成回路およびこの警報音生成回路を備えた火災警報器では、駆動回路からのリード線を圧電ブザーの電極表面にはんだ付け等を行って接合することにより駆動回路からの変動電圧を圧電ブザーの電極間に負荷しているものであった。
【特許文献１】実開平０５−００８６９６号公報
【発明の開示】
【発明が解決しようとする課題】
【０００４】
しかしながら、上記の警報音生成回路およびこの警報音生成回路を備えた火災警報器では、圧電ブザーの電極間のインピーダンスが高いため、リード線と圧電ブザーとの間の接合状態を知るために駆動回路で変動電圧を負荷して、圧電ブザーから警報音を発生させて確認する必要があった。そして、火災警報器等の一部の装置においては、取り付けた後でも警報音生成回路が正常に動作可能かを点検する必要があり、その度に警報音を発生させるのでは、傍にいる人の迷惑となり、かつ火災警報器の場合であると近隣住民の誤解を招くという不具合があった。
【０００５】
そこで、本願発明は、警報音を発生させることなく容易に圧電ブザーとリード線との間の接合状態を検出することができる警報音生成回路、およびこの警報音生成回路を用いた火災警報器を提供するものである。
【課題を解決するための手段】
【０００６】
上記課題を解決するために、本願発明の警報音生成回路は、圧電ブザーの電極表面にはんだ付け等を用いて駆動回路からのリード線を接合させた接合部を備えることにより、駆動回路からの変動電圧に応じて圧電ブザーを鳴動させて警報音を発生させる警報音生成回路において、圧電ブザーの電極間に電気抵抗体を前記接合部と異なる部位で接合させて、圧電ブザーと電気抵抗体を駆動回路に対して並列に接続したものである。
【０００７】
また、本願発明の火災警報器は、圧電ブザーの電極表面にはんだ付け等を用いて駆動回路からのリード線を接合させた接合部を備えることにより、駆動回路からの変動電圧に応じて圧電ブザーを鳴動させて警報音を発生させる警報音生成回路を備えた火災警報器において、警報音生成回路は、圧電ブザーの電極間に電気抵抗体を前記接合部と異なる部位で接合させて、圧電ブザーと電気抵抗体を駆動回路に対して並列に接続したものである。
【発明の効果】
【０００８】
本願発明の警報音生成回路および火災警報器においては、圧電ブザーの電極間に電気抵抗体を前記接合部と異なる部位で接合させて、圧電ブザーと電気抵抗体を駆動回路に対して並列に接続させているので、リード線間のインピーダンスを測定することにより、警報音を発生させることなく容易に圧電ブザーとリード線との間の接合状態を検出することができるものである。
【発明を実施するための最良の形態】
【０００９】
図１は、本願発明の請求項１乃至３に対応した実施形態の火災警報器１のシステム構成図を、図２は図1の警報音生成回路１０の回路図を、図３は図２の圧電ブザーＡの断面図を示している。この実施形態で用いる火災警報器１に用いられている警報音生成回路１０は、圧電ブザーＡの電極表面にはんだ付け等を用いて駆動回路５からのリード線３０を接合させた接合部１１を備えることにより、駆動回路５からの変動電圧に応じて圧電ブザーＡを鳴動させて警報音を発生させる警報音生成回路１０において、圧電ブザーＡの電極間に電気抵抗体Ｒ１を前記接合部１１と異なる部位で接合させて、圧電ブザーＡと電気抵抗体Ｒ１を駆動回路５に対して並列に接続したものである。
【００１０】
又、この実施形態の火災警報器１に用いられる警報音生成回路１０は、前記リード線３０に駆動回路５または導通検出回路１５のいずれかと圧電ブザーＡとを電気接続させる切り替え回路ＳＷを備えているものである。
【００１１】
以下、この実施形態の警報音生成回路１０および火災警報器１を、より具体的に説明する。本願発明に係る火災警報器１は、図1に示すように、電源としての４本の乾電池Ｅと、多少の乾電池電圧の変化があっても定電圧を出力するための定電圧回路２５と、火災を感知するための火災感知回路２０（煙感知方式や炎感知方式等各種ある）と、定電圧回路２５からの出力電圧を倍電圧とするための昇圧回路６と火災感知回路２０からの信号に基づき一定周期のパルス信号を発生させる信号発生回路７とパルス信号を倍電圧に増幅するためのトランジスタＴｒ２・電気抵抗体Ｒ２とを備えて変動電圧を発生可能に設けられた駆動回路５と、駆動回路５からの変動電圧をリード線３０を通じて負荷されて鳴動する圧電ブザーＡおよび圧電ブザーＡに並列に接続された電気抵抗体Ｒ１を備えた警報音生成回路１０と、駆動回路５からの前記リード線３０間の電気抵抗等を測定してリード線３０と圧電ブザーＡの電極との接合状態を検出する導通検出回路１５と、警報音生成回路１０を導通回路または駆動回路５のいずれかに電気接続させる切り替え回路ＳＷと、火災感知回路２０が火災を感知したことで駆動回路５を作動させるためのスイッチング素子としてのトランジスタＴｒ１と、から構成されている。
【００１２】
接続関係を説明すると、乾電池Ｅの出力（略６Ｖ）は定電圧回路２５に接続され、定電圧回路２５の出力（略５Ｖ）は火災感知回路２０に接続されると共にトランジスタＴｒ１を介して駆動回路５の昇圧回路６に接続され、トランジスタＴｒ１のベースは火災感知回路２０の火災発報端子と接続されている。また、図２に示すように、トランジスタＴｒ１のコレクタは駆動回路５の昇圧回路６と信号発生回路７に接続されて、駆動回路５の出力（略１０Ｖ）は警報音生成回路１０と接続可能な切り替え回路ＳＷと接続されている。（図２参照）また、この切り替え回路ＳＷは導通検出回路１５とも接続されており、警報音生成回路１０を駆動回路５または導通検出回路１５のいずれか一方に接続可能となっており、通常は駆動回路５に警報音生成回路１０は接続した状態となっているものである。また、圧電ブザーＡの電極間には、図３に示すように電気抵抗体Ｒ１（１〜２０ｋΩ）が、駆動回路５と電気接続している切り替え回路ＳＷからのリード線３０が半田付け等で接合している接合部１１と異なる部位（接合部１２）で半田付け等により接合されているものである。
【００１３】
次に動作を説明すると、火災発生の無い通常時は、火災警報器１の火災感知回路２０は定電圧回路２５の出力（略５Ｖ）で火災感知動作をしており、火災感知回路２０の火災発報端子はＬｏｗと成っている。従って、トランジスタＴｒ１はＯＦＦしており、駆動回路５は作動していない。
【００１４】
しかし、火災が発生して火災警報器１つまり火災感知回路２０が火災を感知したときは、火災感知回路２０の火災発報端子はＨｉｇｈと成り、火災発報端子はトランジスタＴｒ１のベースをＨｉｇｈとするのでトランジスタＴｒ１はＯＮし駆動回路５の昇圧回路６および信号発生回路７が作動する。そして、駆動回路５は入力電圧（略５Ｖ）を略倍にした略１０Ｖの最大電圧値を備えた一定周期の変動電圧（パルス電圧）を警報音生成回路１０に供給し、警報音生成回路１０に組み込まれた高電圧は必要ではあるが大音量の鳴動をすると共に小型かつ低消費電力である圧電ブザーＡで警報音を発生する。このようにして、火災警報器１が火災を感知し周囲に居る人々にそれを報知する必要があるがときのみ大音量の警報音を発生し、火災発生の無い通常時は、駆動回路５は作動せず低消費電力である火災感知回路２０のみが火災感知動作をしているのである。
【００１５】
また、駆動回路５からのリード線３０と圧電ブザーＡの電極との接合部１１の接合状態を検出する際には、切り替え回路ＳＷを操作して導通検出回路１５と警報音生成回路１０を接続して、抵抗値の測定を行う。そして、導通検出回路１５によりインピーダンスの高い圧電ブザーＡに並列に接続されている電気抵抗体Ｒ１の抵抗値に近いと判断できる測定値が検出された場合には接合状態が良好と判断する。また、導通検出回路１５により検出された測定値が電気抵抗体Ｒ１の抵抗値に近いと判断できない場合には、接合状態が異常と判断し、火災警報器１に備えられているＬＥＤ等を点滅させたりして不具合を報知するものである。
【００１６】
以上の構成を備えることにより、この実施形態で用いる警報音生成回路１０は、圧電ブザーＡの電極表面にはんだ付け等を用いて駆動回路５からのリード線３０を接合させた接合部１１を備えることにより、駆動回路５からの変動電圧に応じて圧電ブザーＡを鳴動させて警報音を発生させる警報音生成回路１０において、圧電ブザーＡの電極間に電気抵抗体Ｒ１を前記接合部１１と異なる部位で接合させて、圧電ブザーＡと電気抵抗体Ｒ１を駆動回路５に対して並列に接続いるので、リード線３０間のインピーダンスを測定することにより、警報音を発生させることなく容易に圧電ブザーＡとリード線３０との間の接合状態を検出することができるものである。
【００１７】
又、この実施形態で用いる警報音生成回路１０は、前記リード線３０に駆動回路５または導通検出回路１５のいずれかと圧電ブザーＡとを電気接続させる切り替え回路ＳＷを備えているので、導通検出回路１５が容易となるものである。
【００１８】
又、この実施形態で用いる警報音生成回路１０は、圧電ブザーＡの電極表面にはんだ付け等を用いて駆動回路５からのリード線３０を接合させた接合部１１を備えることにより、駆動回路５からの変動電圧に応じて圧電ブザーＡを鳴動させて警報音を発生させる警報音生成回路１０を備えた火災警報器１において、警報音生成回路１０は、圧電ブザーＡの電極間に電気抵抗体Ｒ１を前記接合部１１と異なる部位で接合させて、圧電ブザーＡと電気抵抗体Ｒ１を駆動回路５に対して並列に接続しているので、取り付けた後において警報音生成回路１０が正常に動作可能かを点検する際に、その度に警報音を発生させる必要がなく、近隣住民の誤解を招く恐れがないものである。
【図面の簡単な説明】
【００１９】
【図１】本願発明の実施形態に係る火災警報器のシステム構成図。
【図２】同上の警報音生成回路の回路図。
【図３】同上の圧電ブザーの断面図。
【符号の説明】
【００２０】
１    火災警報器
５    駆動回路
６    昇圧回路
７    信号発生回路
１０  警報音生成回路
１１  接合部
１２  接合部
１５  導通検出回路
２０  火災感知回路
２５  定電圧回路
３０  リード線
Ａ    圧電ブザー
Ｒ１  電気抵抗体
ＳＷ  切り替え回路
【図１】
2006235853.tif 000003
【図２】
2006235853.tif 000004
【図３】
2006235853.tif 000005